(57)【要約】  【課題】  車両より直にアスファルト合材の投入を可能として投入装置を不要とし、装置コストが低廉で、設置や移設が容易な簡易型のアスファルト合材の貯蔵サイロを提供する。  【解決手段】  上部に投入ゲート４を、下部に排出ゲート３を備え、加熱保温構造とした容器本体２を支持枠５に対し昇降手段９にて昇降自在に支持すると共に、この容器本体２を回転手段１０にて略９０度回転させることにより横倒可能とする。そして、容器本体２を回転させて横倒姿勢として地上面に降下させた後、投入ゲート４を開放すれば車両Ａより直にアスファルト合材の受入を可能とする一方、容器本体２を起立姿勢として上昇させれば下位への車両の進入を可能とし、排出ゲート３からアスファルト合材を車両に払い出しできる構成とした。【選択図】  図１
2008050894.tif 000002
【特許請求の範囲】
【請求項１】
上部に投入ゲートを、下部に排出ゲートを備え、加熱保温構造とした容器本体を支持枠に対し昇降手段にて昇降自在に支持すると共に、該容器本体を回転手段にて回転させることにより横倒可能とし、容器本体を横倒姿勢として地上面に降下させて投入ゲートを開放すれば車両より直にアスファルト合材の受入を可能とする一方、容器本体を上昇させて起立姿勢とすれば下位への車両の進入を可能として排出ゲートからアスファルト合材を車両に払い出しできる構成としたことを特徴とするアスファルト合材の貯蔵サイロ。
【請求項２】
前記容器本体の昇降手段は、ワイヤーの基端部を支持枠に連結する一方、ワイヤーの先端部を容器本体に連結し、支持枠にはワイヤーの中間部を巻き掛ける定滑車及び動滑車を備えると共に、該動滑車を昇降動作させるシリンダーを配設し、該シリンダーの伸縮に応じて容器本体が昇降するように構成して成ることを特徴とする請求項１記載のアスファルト合材の貯蔵サイロ。
【請求項３】
前記容器本体の回転手段は、容器本体の略中心部に固着した軸体を正転・逆転自在に回転させる駆動モータを配設し、該駆動モータの駆動操作に応じて容器本体を横倒・起立させるように構成して成ることを特徴とする請求項１または２記載のアスファルト合材の貯蔵サイロ。
【発明の詳細な説明】
【技術分野】
【０００１】
本発明は、アスファルトプラントで製造したアスファルト合材の供給を受けて一時的に貯蔵することのできる簡易型のアスファルト合材の貯蔵サイロに関する。
【背景技術】
【０００２】
道路舗装材として用いられるアスファルト合材を製造するアスファルトプラント工場においては、施工現場への出荷をスムーズにするために、製造したアスファルト合材を大型の貯蔵サイロに一旦貯蔵することが一般的に行われている。また、都市部近郊の騒音規制の厳しい地域においてはアスファルトプラントの設置がなかなか難しいために、貯蔵サイロを都市部近郊に設置し、該貯蔵サイロに都市部より離れた場所に設置したアスファルトプラントにおいて製造したアスファルト合材を供給し、この貯蔵サイロを販売拠点としてアスファルトを販売することがある（特許文献１）。
【特許文献１】特開平１０−２０４８１６号公報
【発明の開示】
【発明が解決しようとする課題】
【０００３】
しかしながら、従来の貯蔵サイロは、いずれも定置式で、かつ自立式の大型のサイロであって、装置コストも高価なものであった。
【０００４】
本発明は上記の点に鑑み、車両より直にアスファルト合材の投入を可能として投入装置を不要とし、装置コストが低廉で、設置や移設が容易な簡易型のアスファルト合材の貯蔵サイロを提供することを課題とする。
【課題を解決するための手段】
【０００５】
上記課題を解決するために、本発明に係る請求項１記載のアスファルト合材の貯蔵サイロでは、上部に投入ゲートを、下部に排出ゲートを備え、加熱保温構造とした容器本体を支持枠に対し昇降手段にて昇降自在に支持すると共に、該容器本体を回転手段にて回転させることにより横倒可能とし、容器本体を横倒姿勢として地上面に降下させて投入ゲートを開放すれば車両より直にアスファルト合材の受入を可能とする一方、容器本体を上昇させて起立姿勢とすれば下位への車両の進入を可能として排出ゲートからアスファルト合材を車両に払い出しできる構成としたことを特徴としている。
【０００６】
また、請求項２記載のアスファルト合材の貯蔵サイロでは、前記容器本体の昇降手段は、ワイヤーの基端部を支持枠に連結する一方、ワイヤーの先端部を容器本体に連結し、支持枠にはワイヤーの中間部を巻き掛ける定滑車及び動滑車を備えると共に、該動滑車を昇降動作させるシリンダーを配設し、該シリンダーの伸縮に応じて容器本体が昇降するように構成して成ることを特徴としている。
【０００７】
また、請求項３記載のアスファルト合材の貯蔵サイロでは、前記容器本体の回転手段は、容器本体の略中心部に固着した軸体を正転・逆転自在に回転させる駆動モータを配設し、該駆動モータの駆動操作に応じて容器本体を横倒・起立させるように構成して成ることを特徴としている。
【発明の効果】
【０００８】
本発明の請求項１に係るアスファルト合材の貯蔵サイロによれば、上部に投入ゲートを、下部に排出ゲートを備え、加熱保温構造とした容器本体を支持枠に対し昇降手段にて昇降自在に支持すると共に、該容器本体を回転手段にて回転させることにより横倒可能とし、容器本体を横倒姿勢として地上面に降下させて投入ゲートを開放すれば車両より直にアスファルト合材の受入を可能とする一方、容器本体を上昇させて起立姿勢とすれば下位への車両の進入を可能として排出ゲートからアスファルト合材を車両に払い出しできる構成としたので、車両より直にアスファルト合材の投入を可能として投入装置が不要となって装置コストも低廉となり、また、設置や移設も容易に行うことができる簡易型サイロとなる。
【０００９】
また、請求項２記載のアスファルト合材の貯蔵サイロによれば、前記容器本体の昇降手段は、ワイヤーの基端部を支持枠に連結する一方、ワイヤーの先端部を容器本体に連結し、支持枠にはワイヤーの中間部を巻き掛ける定滑車及び動滑車を備えると共に、該動滑車を昇降動作させるシリンダーを配設し、該シリンダーの伸縮に応じて容器本体が昇降するように構成して成るので、容器本体を確実に昇降させることができる。
【００１０】
また、請求項３記載のアスファルト合材の貯蔵サイロによれば、前記容器本体の回転手段は、容器本体の略中心部に固着した軸体を正転・逆転自在に回転させる駆動モータを配設し、該駆動モータの駆動操作に応じて容器本体を横倒・起立させるように構成して成るので、容器本体を確実に横倒・起立させることができる。
【発明を実施するための最良の形態】
【００１１】
本発明に係るアスファルト合材の貯蔵サイロにあっては、上部に投入ゲートを、下部に排出ゲートを備え、加熱保温構造とした容器本体を有し、該容器本体を支持枠に対し昇降手段にて昇降自在に支持すると共に、容器本体を回転手段にて略９０度回転させることにより横倒可能とする。この貯蔵サイロは、例えば、約２０トン程度の少量の貯蔵容量とし、サイロ高さは約８ｍ未満程度とする。
【００１２】
また、前記容器本体の昇降手段として、ワイヤーの基端部を支持枠に、他端部を容器本体に連結し、該ワイヤーの中間部を巻き掛ける定滑車と動滑車とをそれぞれ備えると共に、そのうち動滑車の方を昇降動作させる油圧シリンダーを配設し、該油圧シリンダーのピストンロッドの伸縮に応じて容器本体が昇降するようにしている。また、容器本体の回転手段として、容器本体の略中心部に固着した軸体を正転・逆転自在に回転させる駆動モータを配設し、該駆動モータの駆動操作に応じて容器本体を横倒・起立させるようにする。
【００１３】
そして、容器本体内にアスファルト合材を投入するときには、上記回転手段にて容器本体を略９０度回転させて横倒姿勢とした上で地上面に降下させて投入ゲートを開放し、車両に積載したアスファルト合材を開放された投入口から容器本体内に直に投入する。アスファルト合材の投入が完了すれば、投入ゲートを閉鎖した後、容器本体を上昇させて回転させ起立姿勢とし、投入したアスファルト合材を容器本体の底部側に落とし込んで貯蔵保管する。そして、アスファルト合材の出荷時には容器本体の下位に車両を進入させてから排出ゲートを開放し、所定量計量して車両に払い出す。
【００１４】
このように、容器本体は支持枠に対し昇降、回転可能に支持された簡易型の貯蔵サイロであって、アスファルト合材を投入するときには容器本体を地上面に横倒させることで車両から直に投入可能とすることによって、投入装置を不要として装置コストの低廉化を図ると共に、簡易型の貯蔵サイロとして設置や移設も容易に行えるようにしている。
【実施例】
【００１５】
以下、本発明の一実施例を図面に基づいて説明する。
【００１６】
図中の１はアスファルト合材貯蔵用の貯蔵サイロであって、アスファルト合材を貯蔵する容器本体２は、例えば、略２０ｔ程度の貯蔵容量で、高さは略８ｍ未満程度としたコンパクトサイズとし、貯蔵物であるアスファルト合材の温度低下による硬化・劣化を極力防止するためにその周壁には加熱保温構造を施していると共に、容器本体２の下部は下方に向けて先細りとした逆截頭円錐状としてその下端には排出ゲート３を開閉自在に備えている一方、容器本体２の天井部は、図に示すように、その一部を切り欠いたような形状としており、その切り欠き部分にはアスファルト合材投入用の投入ゲート４を開閉自在に備えている。
【００１７】
前記容器本体２を支持する支持枠５は複数の鋼材を略門形状に組み上げて成るものであり、アスファルト合材搬入用の車両Ａ、及びアスファルト合材搬出用の車両Ｂが進入可能な程度の幅を有している。また、支持枠５の両側の支柱にはそれぞれ一対のガイドレール６を対向配置している一方、該ガイドレール６に摺動させる摺動ローラ７を回転自在に軸支させた摺動体８をこれら対向するガイドレール６間に配しており、摺動体８をガイドレール６に沿って摺動自在としている。
【００１８】
そして、前記容器本体２はこの摺動体８を介して支持枠５に支持させており、支持枠５に備えた昇降手段９にて摺動体８と共に昇降自在としていると共に、回転手段１０にて容器本体２を略９０度回転させることにより横倒・起立可能としている。そして、容器本体２を横倒姿勢とした状態で降下させれば地上面に着地させることができ、その際に投入ゲート４を開放すると、図１に示すように、車両Ａに積載したアスファルト合材を投入口４ａより容器本体２内に直に投入できるようにしている一方、図４に示すように、容器本体２を起立姿勢とした状態で最上部まで上昇させればその下位に車両Ｂが侵入できるだけの空間が確保されるように図っている。
【００１９】
なお、容器本体２は地上面に着地させた際に適宜、例えば、投入ゲート４側が若干高くなるように略１０度程度傾斜させ、投入したアスファルト合材が容器本体２内の奥へと流れ込んでいくようにしておくと好ましい。
【００２０】
また、前記昇降手段９は、ワイヤー１１の基端部を支持枠５の上部に計量用のロードセル１２を介して連結している一方、ワイヤー１１の先端部を容器本体２の略中心部を貫通させて固着した軸体１３に掛止具１４を介して連結しており、支持枠５にはワイヤー１１の中間部を巻き掛ける定滑車１５と動滑車１６とをそれぞれ備えていると共に、このうち動滑車１６の方を昇降動作させる油圧式のシリンダー１７を設置しており、該シリンダー１７のピストンロッド１８の伸縮に応じ、図３に示すように、ワイヤー１１先端部に連結された容器本体２が摺動体８と共に昇降するように構成している。
【００２１】
また、前記回転手段１０は、容器本体２と一体とした軸体１３の両端を摺動体８に固定した一対の駆動モータ１９の駆動軸に直結させており、該駆動モータ１９の正逆回転駆動によって、図４に示すように、容器本体２を横倒・起立させるように構成している。
【００２２】
次に、上記貯蔵サイロ１の容器本体２へのアスファルト合材の投入及び排出手順について説明する。先ず、アスファルト合材を容器本体２に投入するときには、図１及び図２に示すように、駆動モータ１９を逆回転駆動して容器本体２を略９０度回転させ、横倒姿勢とした状態でシリンダー１７のピストンロッド１８を伸長して容器本体２を地上面まで降下させる。次に、容器本体２の投入ゲート４を開放し、支持枠５の一方より侵入させた車両Ａに積載しているアスファルト合材を投入口４ａより直に投入する。このとき、車両Ａに積載していたアスファルト合材の全量を一度に投入できないようであれば、車両Ａからの投入を一旦停止させ、容器本体２を若干上昇させてから、駆動モータ１９を正回転駆動して容器本体２を適宜角度、例えば１０〜３０度程度傾倒させ、投入したアスファルト合材を容器本体２内の奥へと流れ込ませた後、再び容器本体２を横倒姿勢に戻して地上面に降下させて車両Ａからの投入を再開させることを繰り返せばよい。
【００２３】
アスファルト合材の投入が完了すると、図３に示すように、投入ゲート４を閉塞してからシリンダー１７のピストンロッド１８を縮小して容器本体２を上昇させた後、図４に示すように、駆動モータ１９を正回転駆動して容器本体２を回転させ、容器本体２内のアスファルト合材を底部側に落とし込みながら起立姿勢とし、この起立姿勢にてアスファルト合材を貯蔵しながら出荷待ちとする。そして、アスファルト合材を出荷するときには、車両Ａと同様に車両Ｂを進入させて容器本体２の下位へ配置させた後、排出ゲート３を開放してロードセル１２にて払い出し量を計量しつつ所定量のアスファルト合材を車両Ｂに払い出して出荷させる。
【００２４】
このように、貯蔵サイロ１は、容器本体２を支持枠５に対し昇降、回転可能に支持させた簡易型のコンパクトな構造とし、容器本体２へのアスファルト合材投入装置である垂直搬送装置を不要としたので、装置コストも低廉で、かつ設置や移設も容易に行える。また、サイロ高さを８ｍ未満とすれば工作物の許可申請が不要となり、かつコンパクトな構造であるので、都市部のどこへでも設置または移設してアスファルト合材の販売拠点とすることができて好都合なものとなる。
【００２５】
なお、本実施例においては、アスファルト合材搬入用の車両Ａ、及び搬出用の車両Ｂを共に支持枠５の一方向のみより進退させるようにしており、アスファルト合材の搬入・搬出に要する作業スペースを極力削減して土地の有効活用を図るようにしているが、例えば、車両Ａ、Ｂの進入路をそれぞれ支持枠５の前後方向に振り分けるようにしてもよく、その場合には、アスファルト合材搬入用の車両Ａの進入路の方に図面よりも段差の大きなスロープを設け、車両Ａの高さ位置を上げることによって容器本体２へアスファルト合材を投入し易いようにすることもできるし、また容器本体２の下位を所定深さ掘り下げて、横倒姿勢となった容器本体２の投入口４ａの高さ位置を下げることによって車両Ａからの投入を行い易いようにするといったことも可能となる。
【００２６】
また、本実施例では、アスファルト合材の払い出し量を計量する装置としてロードセルを採用しているが、これに限定するものではなく、例えば、トラックスケールを利用して出荷するアスファルト合材量が把握できるようにしてもよいし、或いは容器本体２の下位に計量ホッパを別途配設しておき、容器本体２が降下するときには邪魔にならないように容器本体２下位から退避可能としておくようにしてもよい。
【００２７】
また、本実施例では、動滑車１６を昇降させる油圧式のシリンダー１７を地上面に立設し、ピストンロッド１８の伸縮に応じて動滑車１６を押し上げたり、引き下げたりして昇降させるようにしているが、例えば、シリンダー１７を支持枠５の上部から垂下させるように取り付け、ピストンロッド１８の伸縮に応じて動滑車１６を押し下げたり、引き上げたりして昇降させるようにすることもできる。
【００２８】
また、本実施例において、容器本体２の昇降手段９、回転手段１０の具体例について説明したが、何らこれらの構造に限定するものでなく、要は、容器本体２を回転させて横倒姿勢として車両より直にアスファルト合材の受入を可能とする一方、容器本体２を起立姿勢としてアスファルト合材を車両に払い出しできる構造であればよい。
【図面の簡単な説明】
【００２９】
【図１】本発明に係るアスファルト合材の貯蔵サイロの一実施例であり、容器本体を横倒姿勢として地上面に降下させ、内部にアスファルト合材を投入する状態を示す一部切り欠き正面図である。
【図２】図１の一部切り欠き側面図である。
【図３】横倒姿勢の容器本体を上昇させた状態を示す一部切り欠き正面図である。
【図４】横倒姿勢の容器本体を回転させて起立姿勢とし、車両にアスファルト合材を排出する状態を示す一部切り欠き正面図である。
【符号の説明】
【００３０】
１…貯蔵サイロ                    ２…容器本体
３…排出ゲート                    ４…投入ゲート
５…支持枠                        ９…昇降手段
１０…回転手段                    １１…ワイヤー
１３…軸体                        １５…定滑車
１６…動滑車                      １７…シリンダー
１９…駆動モータ                  Ａ、Ｂ…車両
【図１】
2008050894.tif 000003
【図２】
2008050894.tif 000004
【図３】
2008050894.tif 000005
【図４】
2008050894.tif 000006